(57)【要約】【課題】  真空管式ギター・アンプ（チューブ・アンプ）の最大出力音量時におけるオーバー・ドライブ・サウンドに代表されるような心地好い適度な歪み（ディストーション）感が得られるようにする。【解決手段】  楽音入力信号を増幅するオペアンプＩＣ（集積回路）Ｕと、半固定抵抗器ＶＲとダイオードＤ１とで構成された振幅制限（クリップ）波形調整回路Ｙとを備え、該オペアンプＩＣ（集積回路）Ｕの出力端子と信号基準点（グラウンド）間に該振幅制限（クリップ）波形調整回路Ｙを結線して、該オペアンプＩＣ（集積回路）Ｕの出力端子から非対称矩形波出力を得ることを特徴としている。【選択図】図１
2007334273.tif 000002
【特許請求の範囲】
【請求項１】
楽音入力信号を増幅するオペアンプＩＣ（集積回路）（Ｕ）と、半固定抵抗器（ＶＲ）とダイオード（Ｄ１）とで構成された振幅制限（クリップ）波形調整回路（Ｙ）とを備え、該オペアンプＩＣ（集積回路）（Ｕ）の出力端子と信号基準点（グラウンド）間に該振幅制限（クリップ）波形調整回路（Ｙ）を結線して、該オペアンプＩＣ（集積回路）（Ｕ）の出力端子から非対称矩形波出力を得ることを特徴とするオーバー・ドライブ・ボックス
【請求項２】
振幅制限（クリップ）波形調整回路（Ｙ）のダイオード（Ｄ１）をトランジスタ（Ｑ）のベース（Ｂ）−コレクタ（Ｃ）間ＰＮ接合（Ｄ３）で等価的に置き換えて構成し、該トランジスタ（Ｑ）のベース（Ｂ）−エミッタ（Ｅ）間ＰＮ接合（Ｄ２）を半固定抵抗器（ＶＲ）の一端に結線することを特徴とする請求項１のオーバー・ドライブ・ボックス
【発明の詳細な説明】
【技術分野】
【０００１】  本発明は、真空管式ギター・アンプ（チューブ・アンプ）の下記（段落番号０００４記載）オーバー・ドライブ・サウンドに代表される心地好い適度な歪み（ディストーション）感を再現するのが容易な音色変換装置（サウンド・エフェクター）たるオーバー・ドライブ・ボックスに関するものである。
【背景技術】
【０００２】  楽音の元となる弦振動や空気振動や革振動等を電気信号に変換するピック・アップを備える電気楽器例えば電気ギター（エレクトリック・ギター）は通常、楽器用拡声器としてのギター・アンプに接続して大きな音を出すようにしている。電気ギター（エレクトリック・ギター）とギター・アンプは一体となって電気ギター音（エレクトリック・ギター・サウンド）という１つの楽器音を形作っている。【０００３】  この電気ギター音（エレクトリック・ギター・サウンド）の音色を変える試みが行われるようになり、その１つとして電池駆動のトランジスタ増幅回路に過大入力を与える事で振幅制限を起こさせてハードな歪み音（ハード・ディストーション・サウンド）を得る音色変換装置（サウンド・エフェクター）としてファズ・ボックスと呼ばれるものが考え出され、電気ギター（エレクトリック・ギター）とギター・アンプの間に挿入接続して使用された。しかしながら、このファズ音（ファズ・サウンド）は雑音（ノイズ）が多かったり、音が歪み過ぎていた為に電気ギター奏者（エレクトリック・ギター・プレイヤー）のピッキングのタッチ、ニュアンスを再現・反映しない上、複数音を同時に入力させると混変調歪みで音がぐちゃぐちゃになりとても和音演奏に使えず、ただ歪んでるだけの安っぽさを感じさせるジージー言う音でどんな曲にも合う音（サウンド）ではなかった。【０００４】  演奏会（コンサート）会場として観客数の増大と共に大きな会場や広大な野外で演奏会（コンサート）が行われるようになるにつれ、ギター・アンプの高出力化が進み、中でも大きな演奏会（コンサート）会場において特に昔ながらの真空管で構成された真空管式ギター・アンプ（チューブ・アンプ）に接続して最大出力音量で鳴らした電気ギター音（エレクトリック・ギター・サウンド）は、心地好い適度な歪み（ディストーション）感が倍音を増やして厚みのある音にし、減衰振動である弦振動の時間長さと聴感上の時間長さを近づけて音（サウンド）の伸び感を加え、電気ギター奏者（エレクトリック・ギター・プレイヤー）のピッキングのタッチ、ニュアンスを微妙なレベルまで再現・反映している上、ある程度まで和音演奏に使え、オーバー・ドライブ・サウンドと称されて、多くの電気ギター奏者（エレクトリック・ギター・プレイヤー）から大変好まれているものである。【０００５】  しかし、同一の真空管式ギター・アンプ（チューブ・アンプ）を使用したとしても小さくて狭い会場や室内等で最大出力音量で鳴らす必要の無い時には、最大出力音量で鳴らした時に得られていた心地好い適度な歪み（ディストーション）感と音（サウンド）の伸び感が得られなくなるという欠点があった。【０００６】  この欠点は、電気ギター奏者（エレクトリック・ギター・プレイヤー）のいい音で奏でるという音楽的表現力を阻害するもので、通常演奏家はいい音で奏でられている時には演奏家自身の気分が高揚し演奏にも乗りが出て、聴衆から今日はいい演奏だったと評されるものだけに、特にオーバー・ドライブ・サウンドを多用するようになっていったロック音楽（ロック・ミュージック）ではより良く奏でられないという大きな問題であった。【０００７】  改善策の１つとして、小音量の時にも心地好い歪んだ音（ディストーション・サウンド）が出せるようにと、電気ギター（エレクトリック・ギター）出力信号を増幅回路である程度増幅してからギター・アンプに入力してやり、ギター・アンプ側入力段増幅回路に過大入力を与える事で振幅制限を起こさせて歪み（ディストーション）を得る音色変換装置（サウンド・エフェクター）としてパワー・ブースターと呼ばれるものが考え出され、電気ギター（エレクトリック・ギター）とギター・アンプの間に挿入接続して使用された。パワー・プースターは、元々ギター・アンプの最大出力音量時でも極端に音が歪まないように設計されていた初期のギター・アンプに対しても適度に歪み（ディストーション）感を与えるものであった。しかしながら、ギター・アンプ側から見れば想定外の過大入力は大きな負担が掛かり、アンプが煙を吹いたりスピーカーがすぐに破損したり等というトラブルになる事が多かった。【０００８】  そしてギター・アンプは、従来の入力端子であるノーマル・チャンネルに加え、初めからパワー・ブースト用増幅回路を内臓させて歪み音（ディストーション・サウンド）を出せる入力端子であるオーバー・ドライブ・チャンネルを装備するものも出て来た。【０００９】  一方、電気ギター（エレクトリック・ギター）の音色を変える音色変換装置（サウンド・エフェクター）にも色々な物が出始め、異なる音色変換装置（サウンド・エフェクター）を電気ギター（エレクトリック・ギター）とギター・アンプの間に連結挿入接続して同時に効果ＯＮ（エフェクト・オン）使用して独持な音色効果（サウンド・エフェクト）を得る使い方も普通に行われるようになると、ギター・アンプ側で歪み音（ディストーション・サウンド）を作成するのは音作りの面で不都合な場合が出て来た。【００１０】  そこで新たにオペアンプＩＣ（集積回路）等で増幅した後、ダイオードの正逆両方向ペア接続による振幅制限（クリップ）回路で対称矩形波を得るようにして歪み（ディストーション）を得る音色変換装置（サウンド・エフェクター）としてディストーション・ボックスと呼ばれるものが考え出され、電気ギター（エレクトリック・ギター）とギター・アンプの間に挿入接続して使用された。これによる音（ディストーション・サウンド）は上記ファズ音（ファズ・サウンド）と比べて聴感上格段に歪み方の質が良く、電気ギター奏者（エレクトリック・ギター・プレイヤー）のピッキングのタッチ、ニュアンスをかなり再現・反映出来るようになったのであるが、どちらかと言えば上記ファズ音（ファズ・サウンド）の方が温かみがあって、アナログ記録のレコードに比べてデジタル記録のＣＤ（コンパクト・ディスク）の音の違いのように、音（サウンド）に温かみの無いザラ付いた軽い音で固さが目立ち、真空管式ギター・アンプ（チューブ・アンプ）の最大出力音量時におけるオーバー・ドライブ・サウンドのような心地好い適度な歪み（ディストーション）感と比べると物足りなさがあった。【００１１】  ディストーション・ボックスと呼ばれる音色変換装置（サウンド・エフェクター）の基本回路は図４で示され、ダイオード（Ｄ４，Ｄ５）の正逆両方向ペア接続による振幅制限（クリップ）回路Ｘの入出力特性図は図６���示されるが、ダイオードの正逆両方向ペア接続による振幅制限（クリップ）回路をオペアンプＩＣ（集積回路）Ｕの負帰還（ネガティブ・フィード・バック）回路に挿入するタイプの図５で示される基本回路のものも使われている。【００１２】  図４及び図５の出力波形は、いずれも対称矩形波であり、対称矩形波は偶数倍音を全く含まない奇数倍音のみで構成された倍音構造（スペクトル）を持ち、その音色は刺激的でミュージック・シンセサイザーではクラリネットのような閉管系の楽器音を合成する時の音源波形として良く用いられている。
【発明の開示】
【発明が解決しようとする課題】
【００１３】  解決しようとする問題点は、真空管式ギター・アンプ（チューブ・アンプ）の最大出力音量時におけるオーバー・ドライブ・サウンドに代表されるような心地好い適度な歪み（ディストーション）感が得られていない点である。
【課題を解決するための手段】
【００１４】  本発明は、楽音入力信号を増幅するオペアンプＩＣ（集積回路）の出力端に振幅制限（クリップ）波形調整回路を付加して非対称矩形波出力が得られるように設定出来ることを最も主要な特徴とする。非対称矩形波出力が得られるように設定することで、その出力信号音は偶数倍音と奇数倍音を共に含み、心地好く聞こえる偶数倍音を含む分、相対的に奇数倍音のみの対称矩形波出力よりは刺激性が少ない歪み（ディストーション）感が得られ、心地好い適度な歪み（ディストーション）感を得るという目的を、最小の部品点数で実現した。
【発明の効果】
【００１５】  図９の波形２ｃのような非対称矩形波出力が得られるように半固定抵抗器ＶＲを調節した本発明のオーバー・ドライブ・ボックスは、偶数倍音と奇数倍音を共に含む非対称矩形波出力なので、心地好く聞こえる偶数倍音を含む分、相対的に奇数倍音のみの対称矩形波出力よりは刺激性が少ない歪み（ディストーション）感が得られ、上記ファズ・ボックス系の音（サウンド）ながら従来の対称矩形波出力型ディストーション・ボックスよりもより真空管式ギター・アンプ（チューブ・アンプ）のオーバー・ドライブ・サウンドに近い心地好い適度な歪み（ディストーション）感が得られるようになった。【００１６】  従来よりより心地好い適度な歪み（ディストーション）感を得られるようになったことで、電気ベース（エレクトリック・ベース）や電気バイオリン（エレクトリック・バイオリン）や電気管楽器等の他の電気楽器にも併用し易くなった。【００１７】  対称矩形波出力を行うのと非対称矩形波出力を行うのとを切り替える為のスイッチを備えれば、低コストで高品位に改良したファズ・ボックス系音（サウンド）とディストーション・ボックス系音（サウンド）という歪み音（ディストーション・サウンド）の違いを曲に応じて素早く切り替え使い分けられる製品に出来る。
【発明を実施するための最良の形態】
【００１８】  本発明の基本回路は図１で示され、楽音入力信号を増幅するオペアンプＩＣ（集積回路）Ｕと、点線枠部分で示した半固定抵抗器ＶＲとダイオードＤ１とで構成された振幅制限（クリップ）波形調整回路Ｙとを備え、該オペアンプＩＣ（集積回路）Ｕの出力端子と信号基準点（グラウンド）間に該振幅制限（クリップ）波形調整回路Ｙを結線付加して、該オペアンプＩＣ（集積回路）Ｕの出力波形を該半固定抵抗器ＶＲの調節で調整出来るようにしている。【００１９】  図１において例えばダイオードＤ１のカソード側が出力端子ＯＵＴに結線されている場合で入力端子ＩＮに正弦波を入力した場合、半固定抵抗器ＶＲの調節具合によって出力端子ＯＵＴに現れる出力波形は、例えば図７に示される波形２ａから図１１に示される波形２ｅへと徐々に変化していく。図８及び図９の波形２ｂ，２ｃが非対称矩形波で、図１０及び図１１の波形２ｄ，２ｅは対称矩形波となっている。
【実施例】
【００２０】  図２は、図１における振幅制限（クリップ）波形調整回路ＹのダイオードＤ１をトランジスタＱのベースＢ−コレクタＣ間ＰＮ接合Ｄ３で等価的に置き換えて構成し、該トランジスタＱのベースＢ−エミッタＥ間ＰＮ接合Ｄ２を半固定抵抗器ＶＲの一端に結線して実施した場合の実施例を示している。図２の入力端子ＩＮに正弦波を入力した場合、半固定抵抗器ＶＲの調節具合によって出力端子ＯＵＴに現れる出力波形は、先ず下側（マイナス側）だけが振幅制限（クリップ）された図７に示される波形２ａから図１１に示される波形２ｅへと徐々に変化していく。【００２１】  図３は、図２におけるＰＮＰ型トランジスタＱをＮＰＮ型トランジスタＱに置き換えて実施した例を示しているが、ベースＢ−エミッタＥ間のＰＮ接合Ｄ２の方向と、ベースＢ−コレクタＣ間のＰＮ接合Ｄ３の方向は、それぞれ図２とは逆向きになる。図３の入力端子ＩＮに正弦波を入力した場合、半固定抵抗器ＶＲの調節具合によって出力端子ＯＵＴに現れる出力波形は、図２における出力波形を上下ひっくり返したような形で現れ、先ず上側（プラス側）だけが振幅制限（クリップ）された例えば図７に示される波形２ａの上下反転したような波形から図１１に示される波形２ｅの上下反転したような波形へと徐々に変化していく。【００２２】  図１における振幅制限（クリップ）波形調整回路ＹのダイオードＤ１として、検波用ダイオード、スイッチング用ダイオード、整流用ダイオード、発光ダイオード（ＬＥＤ）、定電圧ダイオード（ツェナー・ダイオード）等どんなダイオードで実施しても良いし、その他所謂ダイオードとして分類されていない半導体素子例えばトランジスタ、電界効果トランジスタ（ＦＥＴ）等のＰＮ接合で等価的に置き換えて実施しても良い。
【産業上の利用可能性】
【図面の簡単な説明】
【００２３】
【図１】  本発明を使用したオーバー・ドライブ・ボックスの基本回路
【図２】  本発明を使用したオーバー・ドライブ・ボックスの基本回路において、ダイオードＤ１をＰＮＰ型トランジスタＱのベースＢ−コレクタＣ間ＰＮ接合Ｄ３で等価的に置き換えて構成し、該トランジスタＱのベースＢ−エミッタＥ間ＰＮ接合Ｄ２を半固定抵抗器ＶＲの一端に結線して実施した例
【図３】  本発明を使用したオーバー・ドライブ・ボックスの基本回路において、ダイオードＤ１をＮＰＮ型トランジスタＱのベースＢ−コレクタＣ間ＰＮ接合Ｄ３で等価的に置き換えて構成し、該トランジスタＱのベースＢ−エミッタＥ間ＰＮ接合Ｄ２を半固定抵抗器ＶＲの一端に結線して実施した例
【図４】  本発明を使用しない従来のディストーション・ボックスの基本回路１
【図５】  本発明を使用しない従来のディストーション・ボックスの基本回路２
【図６】  振幅制限（クリップ）回路Ｘの入出力特性図
【図７】  本発明を使用したオーバー・ドライブ・ボックスの実施例の図２の回路において、半固定抵抗器ＶＲの調節具合で得られる出力波形２ａ
【図８】  本発明を使用したオーバー・ドライブ・ボックスの実施例の図２の回路において、半固定抵抗器ＶＲの調節具合で得られる出力波形２ｂ
【図９】  本発明を使用したオーバー・ドライブ・ボックスの実施例の図２の回路において、半固定抵抗器ＶＲの調節具合で得られる出力波形２ｃ
【図１０】  本発明を使用したオーバー・ドライブ・ボックスの実施例の図２の回路において、半固定抵抗器ＶＲの調節具合で得られる出力波形２ｄ
【図１１】  本発明を使用したオーバー・ドライブ・ボックスの実施例の図２の回路において、半固定抵抗器ＶＲの調節具合で得られる出力波形２ｅ
【符号の説明】
【００２４】２ａ，２ｂ，２ｃ，２ｄ，２ｅ  本発明を使用した実施例の図２の回路における出力波形
Ｂ  トランジスタＱのベース端子
Ｃ  トランジスタＱのコレクタ端子
Ｅ  トランジスタＱのエミッタ端子
Ｄ１，Ｄ４，Ｄ５，Ｄ６，Ｄ７  ダイオード
Ｄ２，Ｄ３  トランジスタＱのＰＮ接合
Ｒ１，Ｒ２，Ｒ３  固定抵抗器
Ｑ  トランジスタ
Ｕ  オペアンプＩＣ（集積回路）
ＶＩ  振幅制限（クリップ）回路Ｘの入力電圧
ＶＯ  振幅制限（クリップ）回路Ｘの出力電圧
ＶＲ  半固定抵抗器
Ｘ  振幅制限（クリップ）回路
Ｙ  振幅制限（クリップ）波形調整回路
【図１】
2007334273.tif 000003
【図２】
2007334273.tif 000004
【図３】
2007334273.tif 000005
【図４】
2007334273.tif 000006
【図５】
2007334273.tif 000007
【図６】
2007334273.tif 000008
【図７】
2007334273.tif 000009
【図８】
2007334273.tif 000010
【図９】
2007334273.tif 000011
【図１０】
2007334273.tif 000012
【図１１】
2007334273.tif 000013